(57)【要約】【課題】  モータ全体を低コストで簡単かつ確実にフローティング支持することができるアクチュエータ装置を提供する。【解決手段】  モータ収容部１１ａ及びギヤ収容部１１ｂを有したケース１１と，このモータ収容部に収容されるモータ２０と，ギヤ収容部に回転自在に収容され，モータの駆動軸２１によって回転駆動される出力ギヤ２３とを備え，モータを弾性体４０を介してモータ収容部内にフローティング自在に支持したアクチュエータ装置１０において，弾性体は，モータのモータ本体２０ａを保持する本体フローティング部４１と，モータの駆動軸の前後の各軸受２０ｂ，２０ｃを保持する一対の軸受フローティング部４２，４３とを備え，これら本体フローティング部と一対の軸受フローティング部とを弾性部材により一体形成した。【選択図】      図１
2006230046.tif 000002
【特許請求の範囲】
【請求項１】
モータ収容部及びギヤ収容部を覆うカバーを有したケースと，このケースのモータ収容部に収容されるモータと，前記ケースのギヤ収容部に回転自在に収容され，前記モータの駆動軸によって回転駆動される出力ギヤとを備え，前記モータを弾性体を介して前記モータ収容部内にフローティング自在に支持したアクチュエータ装置において，
前記弾性体は，前記モータのモータ本体を保持する本体フローティング部と，前記モータの駆動軸の前後の各軸受をそれぞれ保持する一対の軸受フローティング部とを備え，これら本体フローティング部と一対の軸受フローティング部とを弾性部材により一体形成したことを特徴とするアクチュエータ装置。
【請求項２】
請求項１記載のアクチュエータ装置であって，
前記本体フローティング部と少なくとも一方の軸受フローティング部との間に切欠き部を形成したことを特徴とするアクチュエータ装置。
【請求項３】
請求項１または２記載のアクチュエータ装置であって，
前記本体フローティング部には，上片及び下片と，該上片及び下片を連結する両側片が形成されているとともに，前記一対の軸受フローティング部には，前記モータの駆動軸を回転自在に支持する各軸受に嵌め込まれる孔部が形成されていることを特徴とするアクチュエータ装置。
【請求項４】
請求項３記載のアクチュエータ装置であって，
前記上片の上面には，前記モータのモータ本体の幅方向に延びる一対の凸部が一体突出形成されているとともに，前記下片の下面には，前記モータのモータ本体の幅方向に延びる一対の凸部が一体突出形成されていることを特徴とするアクチュエータ装置。
【発明の詳細な説明】
【技術分野】
【０００１】
本発明は，例えば，車両のステアリングシャフトをロックしたり，アンロックするステアリングロック装置に用いて好適なアクチュエータ装置に関する。
【背景技術】
【０００２】
従来のステアリングロック装置は，モータ収容部及びギヤ収容部を覆うカバーを有したケースと，このケースのモータ収容部に収容されるモータと，ケースのギヤ収容部に回転自在に収容され，モータの駆動軸によって減速ギヤを介して回転駆動される出力ギヤと，この出力ギヤの軸部に貫通されて固定され，該出力ギヤと共に回転する出力シャフトと，この出力シャフトに取り付けられ，ステアリングシャフトをロック及びアンロックする際に用いる出力カムと，ケースのギヤ収容部に配置され，出力ギヤの軸部に一体的に形成されたカム部によってオン又はオフ操作される一対のリミットスイッチとを備えている。
【０００３】
この種のステアリングロック装置に用いられるアクチュエータ装置として，図１６及び図１７に示すものが知られている（例えば，特許文献１参照）。
【０００４】
このアクチュエータ装置１は，図１６及び図１７に示すように，モータ収容部２ａ及びギヤ収容部２ｂを覆うカバー（図示省略）を有したケース２と，このケース２のモータ収容部２ａに収容されるモータ３と，ケース２のギヤ収容部２ｂに回転自在に収容され，モータ３の駆動軸４のウォーム４ｂによって複数の減速ギヤ５Ａ，５Ｂ，５Ｃを介して回転駆動される出力ギヤ６と，この出力ギヤ６の中央に貫通されて固定され，該出力ギヤ６と共に回転する出力シャフト７と，この出力シャフト７に取り付けられ，ステアリングシャフトをロック及びアンロックする際に用いるセクタギヤ（いずれも図示省略）等を備えている。
【０００５】
図１７に示すように，モータ３はその前後の各軸受部３ａ，３ｂにゴム製のＯリング８ａ，８ｂを嵌め込んである。この各Ｏリング８ａ，８ｂを介して各軸受部３ａ，３ｂはモータ収容部２ａの側壁部に接触して，モータ３はケース２に保持されている。また，モータ３の駆動軸４の先端４ａは，軸受としての湾曲した板バネ９を介して回転自在に支持されている。
【０００６】
【特許文献１】特開平９−２１５２６１号公報
【０００７】
【特許文献２】特開２００２−２０５６２２号公報
【０００８】
【特許文献３】特開２００２−３２６５５９号公報
【発明の開示】
【発明が解決しようとする課題】
【０００９】
しかしながら，前記従来のアクチュエータ装置１では，モータ３を各軸受部３ａ，３ｂに嵌め込まれたゴム製のＯリング８ａ，８ｂを介してケース２のモータ収容部２ａの側壁部に接触させた状態で保持しているだけであり，モータ３とケース２のモータ収容部２ａの側壁部間は弾性部材等によるフローティング支持構造となっていないため，減速ギヤ５Ａの回転時に，図１７に示すように，減速ギヤ５Ａからの反力Ｆがモータ３の駆動軸４に作用し，軸受部３ａを支点としてモータ３の駆動軸４が矢印Ｐ方向へ向けて湾曲すると共に，モータ２０がモータ収容部２ａの側壁部間でガタ付いて傾斜（変移）し易く，上記反力Ｆをゴム製のＯリング８ａ，８ｂの弾性力だけでは十分に吸収することができず，モータ３の駆動軸４の湾曲等の撓みによって該モータ３の駆動軸４のウォーム４ｂと減速ギヤ５Ａの噛合状態が悪化して動作不良や騒音（作動音）等が発生し易かった。
【００１０】
これに対処するに，モータ３とケース２のモータ収容部２ａの側壁部間を弾性部材によりフローティング支持したものが開発されているが，モータ３の各軸受部３ａ，３ｂに嵌め込まれるゴム製のＯリング８ａ，８ｂの他に，モータ３のヨーク部分（モータ本体）を更にフローティング支持するための弾性部材が別途必要となり，その分組み付け時の部品点数及び工数が増えてコスト高であった。
【００１１】
そこで，本発明は，前記した課題を解決すべくなされたものであり，簡単な構造によりモータ全体を低コストでフローティング支持することができ，モータの駆動軸の撓みやモータの変移による動作不良や騒音等の発生を確実に防止することができるアクチュエータ装置を提供することを目的とする。
【課題を解決するための手段】
【００１２】
請求項１の発明は，モータ収容部及びギヤ収容部を覆うカバーを有したケースと，このケースのモータ収容部に収容されるモータと，前記ケースのギヤ収容部に回転自在に収容され，前記モータの駆動軸によって回転駆動される出力ギヤとを備え，前記モータを弾性体を介して前記モータ収容部内にフローティング自在に支持したアクチュエータ装置において，前記弾性体は，前記モータのモータ本体を保持する本体フローティング部と，前記モータの駆動軸の前後の各軸受をそれぞれ保持する一対の軸受フローティング部とを備え，これら本体フローティング部と一対の軸受フローティング部とを弾性部材により一体形成したことを特徴とする。
【００１３】
請求項２の発明は，請求項１記載のアクチュエータ装置であって，前記本体フローティング部と少なくとも一方の軸受フローティング部との間に切欠き部を形成したことを特徴とする。
【００１４】
請求項３の発明は，請求項１または２記載のアクチュエータ装置であって，前記本体フローティング部には，上片及び下片と，該上片及び下片を連結する両側片が形成されているとともに，前記一対の軸受フローティング部には，前記モータの駆動軸を回転自在に支持する各軸受に嵌め込まれる孔部が形成されていることを特徴とする。
【００１５】
請求項４の発明は，請求項３記載のアクチュエータ装置であって，前記上片の上面には，前記モータのモータ本体の幅方向に延びる一対の凸部が一体突出形成されているとともに，前記下片の下面には，前記モータのモータ本体の幅方向に延びる一対の凸部が一体突出形成されていることを特徴とする。
【発明の効果】
【００１６】
以上説明したように，請求項１の発明によれば，モータをモータ収容部内にフローティング支持する弾性体を，モータのモータ本体を保持する本体フローティング部と，モータの駆動軸の前後の各軸受をそれぞれ保持する一対の軸受フローティング部とで形成し，これら本体フローティング部と一対の軸受フローティング部とを弾性部材により一体形成したことにより，組み付け工数を削減して低コスト化を図ることができると共に，簡単な構造によりモータ全体を確実にフローティング支持することができる。これにより，モータの駆動軸の撓みやモータの変移による動作不良や騒音等の発生を確実に防止することができる。
【００１７】
請求項２の発明によれば，本体フローティング部と少なくとも一方の軸受フローティング部との間に切欠き部を形成したことにより，この切欠き部を介して弾性体の本体フローティング部をモータのモータ本体に簡単に装着することができると共に，該弾性体の一対の軸受フローティング部を駆動軸の前後の各軸受を簡単に装着することができる。
【００１８】
請求項３の発明によれば，本体フローティング部には，上片及び下片と，該上片及び下片を連結する両側片が形成されているとともに，一対の軸受フローティング部には，モータの駆動軸を回転自在に支持する各軸受に嵌め込まれる孔部が形成されているので，本体フローティング部と一対の軸受フローティング部によりモータ本体は包み込まれ，該モータ本体をより一層確実にフローティング支持することができる。
【００１９】
請求項４の発明によれば，上片の上面には，モータのモータ本体の幅方向に延びる一対の凸部が一体突出形成されているとともに，下片の下面には，モータ本体の幅方向に延びる一対の凸部が一体突出形成されているので，モータ収容部１１ａ内の底壁とカバーの内面との間で，モータ本体を更に確実にフローティング支持することができる。
【発明を実施するための最良の形態】
【００２０】
以下，本発明の一実施形態を図面に基づいて説明する。
【００２１】
図１は本発明の一実施形態のステアリングロック装置の分解斜視図，図２は同ステアリングロック装置の断面図，図３は同ステアリングロック装置のケースの平面図，図４は同ステアリングロック装置の出力ギヤ周辺の拡大平面図，図５は同出力ギヤ周辺の拡大断面図，図６は同ケースとカバーとスイッチホルダ及びリミットスイッチの関係を示す分解斜視図，図７は同ケースにスイッチホルダを仮止めした状態を示す平面図，図８（ａ）は同ケースにスイッチホルダを仮止めした状態を示す断面図，図８（ｂ）は同仮止め状態の要部の拡大断面図，図９（ａ）は同ケースとカバー間にスイッチホルダを挾持した取付状態の概略説明図，図９（ｂ）は同取付状態の要部の拡大説明図，図１０は同ステアリングロック装置に用いられるモータを斜め前側から見た斜視図，図１１は同モータを斜め後側から見た斜視図，図１２は同モータの平面図，図１３は同モータの側面図，図１４は同モータに装着される弾性体の平面図，図１５は同弾性体の側面図である。
【００２２】
図１〜図３に示すように，ステアリングロック装置（アクチュエータ装置）１０は，モータ収容部１１ａ及び該モータ収容部１１ａに連通するギヤ収容部１１ｂを有し，かつ，該ギヤ収容部１１ｂに円柱状の支軸１２を一体突出形成した合成樹脂製で箱形のケース１１と，このケース１１のモータ収容部１１ａ及びギヤ収容部１１ｂを覆うと共に円形孔状の軸受部１４を形成し，かつ，ケース１１の全体を覆ってビス１５で締結固定される合成樹脂製のカバー１３とを備えている。
【００２３】
このケース１１のモータ収容部１１ａにはモータ２０が収容されており，そのアーマチュア軸（駆動軸）２１の先端２１ａはギヤ収容部１１ｂの軸受保持部１１ｃに保持された軸受１６に回転自在に支持されている。また，アーマチュア軸２１の先端側にはウォーム２２を取り付けてあり，このウォーム２２はギヤ収容部１１ｂ内に入り込んでいる。尚，アーマチュア軸２１に取り付けられた図示しないアーマチュアのアーマチュアコイルに電流が供給されると，該アーマチュアが正回転又は逆回転され，アーマチュアコイルに供給された電流が遮断されると，電磁制動回路が形成されてアーマチュアコイルに電磁制動電流が流れるようになっている。
【００２４】
図１〜図５に示すように，ケース１１のギヤ収容部１１ｂには，モータ２０のアーマチュア軸２１のウォーム２２に噛合して回転駆動される合成樹脂製の出力ギヤ２３を回転自在に収容してある。この出力ギヤ２３は，支軸を成す出力シャフト部２４と，この出力シャフト部２４の中央に一体突出形成され，モータ２０のアーマチュア軸２１のウォーム２２に噛合するギヤ部２５と，出力シャフト部２４の大径部（上部）２４ａの上面２４ｂに一体突出形成された一対の出力カム部２６，２６とを備えている。この各出力カム部２６は，後述するカバー１３の天井壁１３ａに形成された円形孔状の軸受部１４より外側に露出するようになっており，図示しないステアリングシャフトをロック及びアンロックする際に用いられる。
【００２５】
図１〜図５に示すように，ケース１１のギヤ収容部１１ｂの底壁１１ｄの中央には，長尺で円柱状の支軸１２を上方に一体突出形成してある。また，出力ギヤ２３の出力シャフト部２４の小径部（下部）２４ｄには上記支軸１２に嵌合される円形凹状の軸受部２４ｅを形成してあると共に，該軸受部２４ｅの内端面（底面）２４ｆを円柱状の支軸１２の上面１２ａに摺動自在に載置してある。さらに，軸受部２４ｅの開口端，即ち，出力シャフト部２４の小径部２４ｄの下端２４ｇをケース１１の底壁１１ｄから所定クリアランス離間させてある。これらにより，出力ギヤ２３の出力シャフト部２４は円柱状の支軸１２にスムーズに回転するように支持されている。
【００２６】
また，カバー１３の天井壁１３ａの支軸１２に対向する位置には，円形孔状の軸受部１４を形成してある。この円形孔状の軸受部１４の内周面１４ａに出力シャフト部２４の大径部２４ａの外周面２４ｃを回転自在に支持してある。
【００２７】
図１，図２，図５に示すように，出力ギヤ２３のギヤ部２５は出力シャフト部２４の大径部２４ａの下側に一体形成されている。さらに，図１，図３に示すように，出力シャフト部２４の大径部２４ａの外周面２４ｃには，カバー１３の天井壁１３ａの内面に形成された図示しないストッパ部に当接係止される円弧状でブロック状のストッパ部２７を一体突出形成してある。このストッパ部２７は，出力シャフト部２４の大径部２４ａの外周面２４ｃから円周方向に所定の幅寸法を持って円弧状に一体突出突出されている。
【００２８】
さらに，図３に示すように，出力シャフト部２４の小径部２４ｄには，カム部２８が一体突出形成されている。このカム部２８に対向するケース１１のギヤ収容部１１ｂ内には出力ギヤ２３が所定の角度回転した時に該カム部２８によってオン又はオフ操作される一対のリミットスイッチ（スイッチ手段）３０，３０を合成樹脂製のスイッチホルダ３５を介して取り付けてある。
【００２９】
図１及び図６〜図９に示すように，出力ギヤ２３の位置検出用の一対のリミットスイッチ（スイッチ手段）３０，３０は，合成樹脂製のスイッチホルダ３５によりケース１１のギヤ収容部１１ｂ内に押さえ付けられるようになっている。即ち，図１，図６，図９に示すように，各リミットスイッチ３０の前面の両側には，断面円形で上下面に貫通した一対の係合孔（係合部）３１，３１をそれぞれ形成してある。また，各リミットスイッチ３０の後面には操作レバー部３２を取り付けてある。さらに，各リミットスイッチ３０の前面には一対の端子３３，３３をそれぞれ突設してある。この各端子３３にはハーネス３４の芯線３４ａが半田付けにより接続されるようになっている。
【００３０】
また，図１に示すように，ケース１１のギヤ収容部１１ｂの底壁１１ｄの各リミットスイッチ３０の一対の係合孔３１，３１に対向する位置には，該各リミットスイッチ３０の一対の係合孔３１，３１が嵌め込まれて固定される一対の固定用ボス（固定用係止部）１１ｅ，１１ｅをそれぞれ一体突出形成してある。
【００３１】
図１及び図６〜図９に示すように，各リミットスイッチ３０をケース１１のギヤ収容部１１ｂ内に押さえ付けるスイッチホルダ３５は合成樹脂により板状に形成してあり，そのホルダ本体３５ａの中央には各リミットスイッチ３０等を視認する孔状の覗き用窓部３６を形成してある。また，スイッチホルダ３５のホルダ本体３５ａの両側にはケース１１の底壁１１ｄに形成されたＬ字状で一対の係合部１１ｆ，１１ｆにそれぞれ仮止めされる一対の仮止め用係止爪（仮止め用係止部）３７，３７を下方に一体突出形成してある。さらに，スイッチホルダ３５のホルダ本体３５ａの両側には一対の腕部（保持部）３８，３８をＬ字状に一体突出形成してある。また，ケース１１の側壁１１ｇにはスイッチホルダ３５の各腕部３８が収容される係合凹部１１ｈを設けてあると共に，カバー１３の側壁１３ｂには該各係合凹部１１ｈに係合されて該スイッチホルダ３５の各腕部３８を挾持する係止凸部１３ｃを下方に一体突出形成してある。そして，各仮止め用係止爪３７によりスイッチホルダ３５をケース１１の各係合部１１ｆに仮止めした後で，ケース１１の側壁１１ｇの各係合凹部１１ｈにカバー１３の側壁１３ｂの各係止凸部１３ｃを嵌合する際に，スイッチホルダ３５の各腕部３８をケース１１の各係合凹部１１ｈとカバー１３の係止凸部１３ｃとの間で挾持自在にしてある。
【００３２】
図１，図３に示すように，ケース１１のモータ収容部１１ａの相対向する両側壁１３ｂ，１３ｂの内面の所定位置には，図１の上下方向に延びる凸部１１ｉ，１１ｉを一体突出形成してある。また，モータ収容部１１ａ内の底壁１１ｄには，モータ２０の軸方向に平行に延びる一対の凸部１１ｊ，１１ｊをそれぞれ一体突出形成してある。
【００３３】
図１０〜図１５に示すように，モータ２０に装着される弾性体４０は，モータ２０のモータ本体（モータヨーク部）２０ａを保持する本体フローティング部４１と，モータ２０のアーマチュア軸（駆動軸）２１の前後の各軸受２０ｂ，２０ｃをそれぞれ保持する一対の軸受フローティング部４２，４３とから成り，これら本体フローティング部４１と一対の軸受フローティング部４２，４３は，例えば，熱可塑性エラストマ系樹脂材（弾性部材）により一体形成されている。また，本体フローティング部４１と後側の軸受フローティング部４３との間には切欠き部４４を形成してある。一対の軸受フローティング部４２，４３は，ケース１１の軸受保持部１１ｋ，１１ｍにそれぞれ嵌合され，保持される。
【００３４】
図１４，図１５に示すように，本体フローティング部４１は，上片４１ａ及び下片４１ｂと，この上片４１ａ及び下片４１ｂを連結する両側片４１ｃ，４１ｄとでモータ２０のモータ本体２０ａを包み込むように形成してある。また，上片４１ａの上面にはモータ２０の幅方向に平行に延びる一対の凸部４１ｅ，４１ｅをそれぞれ一体突出形成してある。さらに，下片４１ｂの下面にはモータ２０の幅方向に平行に延びる一対の凸部４１ｆ，４１ｆをそれぞれ一体突出形成してある。
【００３５】
また，各軸受フローティング部４２，４３の中央には，アーマチュア軸（駆動軸）２１を回転自在に支持する前後の各軸受２０ｂ，２０ｃに嵌め込まれる孔部４２ａ，４３ａをそれぞれ形成してある。
【００３６】
弾性体４０を装着したモータ２０は，ケース１１の軸受保持部１１ｋ，１１ｍに弾性体４０の一対の軸受フローティング部４２，４３をそれぞれ嵌合することにより，該モータ２０は該軸受保持部１１ｋ，１１ｍを介してフローティング自在に支持されている。
【００３７】
また，モータ２０は，モータ収容部１１ａ内の底壁１１ｄに形成した一対の凸部１１ｊ，１１ｊとカバー１３の天井壁１３ａの内面との間に，弾性体４０の上片４１ａと下片４１ｂにそれぞれ形成した一対の凸部４１ｅ，４１ｅと一対の凸部４１ｆ，４１ｆを介してフローティング自在に支持されている。
【００３８】
尚，出力ギヤ２３からの大きな反力がウオーム２２を介してアーマチュア軸２１に作用した際に，その反力がモータ２０をフローティング支持している弾性体４０の許容限度を超えた荷重であった場合に，モータ本体２０ａの外側面がケース１１の相対向する両側壁１３ｂ，１３ｂの内面に一体突出形成した各凸部１１ｉに当接する。このため，モータ２０は所定の範囲内に保持される。
【００３９】
以上実施形態のステアリングロック装置１０によれば，モータ２０の図示しないアーマチュアコイルに電流が供給されると，アーマチュア軸２１のウォーム２２が回転し，このウォーム２２に噛合されている出力ギヤ２３及び該出力ギヤ２３の出力シャフト部２４が回転される。
【００４０】
この出力ギヤ２３が予め定められた所定の角度だけ回転すると，該出力ギヤ２３の出力シャフト部２４の小径部２４ｄに一体突出形成されたカム部２８によりケース１１のギヤ収容部１１ｂ内に配置されているオフ状態（ＯＦＦ）の一対のリミットスイッチ３０，３０の各操作レバー部３２が押されて該各リミットスイッチ３０がオン状態（ＯＮ）になる。この各リミットスイッチ３０のＯＮにより，モータ２０に位置検出信号が出力されて通電がＯＦＦされ，アーマチュアコイルに供給された電流が遮断される。この各リミットスイッチ３０のＯＮ後も，出力ギヤ２３はディレー及び惰走により，なおも回転を続行するが，該出力シャフト部２４の大径部２４ａに形成したストッパ部２７が，カバー１３の天井壁１３ａの内面に形成された図示しないストッパ部に当接して，該出力ギヤ２３は停止する。尚，この出力ギヤ２３が停止する位置では，カム部２８は各リミットスイッチ３０をオン状態に保持している。
【００４１】
図１及び図６〜図９に示すように，一対のリミットスイッチ３０，３０をケース１１のギヤ収容部１１ｂ内に組み付ける場合には，まず，ケース１１のギヤ収容部１１ｂの底壁１１ｄに突設した各一対の固定用ボス１１ｅ，１１ｅに各リミットスイッチ３０の一対の係合孔３１，３１を嵌め込んで固定させる。
【００４２】
そして，図７，図８に示すように，スイッチホルダ３５の一対の仮止め用係止爪３７，３７をケース１１のギヤ収容部１１ｂの一対の係合部１１ｆ，１１ｆに仮止めする。次に，図９に示すように，ケース１１にカバー１３を装着して該ケース１１にカバー１３をビス１５を介して締結固定すると，スイッチホルダ３５の一対の腕部３８，３８がカバー１３の側壁１３ｂの一対の係止凸部１３ｃ，１３ｃに押されてケース１１の側壁１１ｇの一対の係合凹部１１ｈ，１１ｈ内に嵌め込まれる。これにより，スイッチホルダ３５の一対の腕部３８，３８がケース１１の側壁１１ｇの一対の係合凹部１１ｈ，１１ｈとカバー１３の側壁１３ｂの一対の係止凸部１３ｃ，１３ｃとの間で挾持される。その結果，一対のリミットスイッチ３０，３０をケース１１のギヤ収容部１１ｂの底壁１１ｄとスイッチホルダ３５のホルダ本体３５ａとの間で簡単かつ確実に固定することができる。
【００４３】
尚，図９（ａ）に示すように，ケース１１にカバー１３を装着することで，スイッチホルダ３５の一対の仮止め用係止爪３７，３７のケース１１のギヤ収容部１１ｂの一対の係合部１１ｆ，１１ｆへの仮止めの役割はなくなる。
【００４４】
また，ケース１１のモータ収容部１１ａ内に収容されるモータ２０は，該モータ収容部１１ａの底壁１１ｄ及び側壁１１ｇの各凸部１１ｉ，１１ｊとカバー１３の天井壁１３ａの内面との間に，モータ２０を包み込むように装着された弾性体４０によりフローティング自在に支持されている。このモータ２０をケース１１のモータ収容部１１ａ内にフローティング支持する弾性体４０を，モータ２０のモータ本体２０ａを保持する本体フローティング部４１と，モータ２０のアーマチュア軸２１の前後の各軸受２０ｂ，２０ｃをそれぞれ保持する一対の軸受フローティング部４２，４３とで形成し，これら本体フローティング部４１と一対の軸受フローティング部４２，４３とを熱可塑性エラストマ系樹脂材により一体形成したことにより，組み付け工数を削減して低コスト化を図ることができると共に，簡単な構造によりモータ２０全体を確実にフローティング支持することができる。
【００４５】
これにより，モータ２０のアーマチュア軸２１のウォーム２２に噛合する出力ギヤ２３からの反力による該アーマチュア軸２１の撓み（変形）やモータ２０のモータ収容部１１ａ内の変移を所定の範囲内に確実に抑制することができ，モータ２０のアーマチュア軸２１の撓みやモータ２０の変移による動作不良や騒音等の発生を確実に防止することができる。その結果，アーマチュア軸２１のウォーム２２と出力ギヤ２３のギヤ部２５の噛み合い率を常に良好な状態に確保することができ，高精度のステアリングロック装置１０を低コストで提供することができる。  
【００４６】
さらに，弾性体４０の本体フローティング部４１と後部の軸受フローティング部４３との間に切欠き部４４を形成したことにより，この切欠き部４４を介して弾性体４０の本体フローティング部４１の上，下片４１ａ，４１ｂ及び両側片４１ｃ，４１ｄをモータ２０のモータ本体２０ａに簡単かつ確実に装着することができると共に，該弾性体４０の一対の軸受フローティング部４２，４３の各孔部４２ａ，４３ａをアーマチュア軸２１の前後の各軸受２０ｂ，２０ｃに簡単かつ確実に装着することができる。
【００４７】
また，弾性体４０の本体フローティング部４１には，上片４１ａ及び下片４１ｂと，該上片４１ａ及び下片４１ｂを連結する両側片４１ｃ，４１ｃが形成されているとともに，弾性体４０の一対の軸受フローティング部４２，４３には，モータ２０のアーマチュア軸２１を回転自在に支持する軸受２０ｂ，２０ｃに嵌め込まれる孔部４２ａ，４３ａが形成されている。従って，本体フローティング部４１と各軸受フローティング部４２，４３によりモータ本体２０ａは包み込まれ，該モータ本体２０ａをより一層確実にフローティング支持することができる。
【００４８】
この上片４１ａの上面には，モータ本体２０ａの幅方向に延びる一対の凸部４１ｅ，４１ｅが一体突出形成されているとともに，下片４１ｂの下面には，モータ本体２０ａの幅方向に延びる一対の凸部４１ｆ，４１ｆが一体突出形成されている。従って，モータ収容部１１ａ内の底壁１１ｄとカバー１３の内面との間で，モータ本体２０ａを更に確実にフローティング支持することができる。
【００４９】
尚，前記実施形態によれば，モータをフローティング支持する弾性体を熱可塑性エラストマ系樹脂材にて形成したが，ゴム材等の他の部材により形成しても良い。また，アクチュエータ装置としてステアリングロック装置に使用される場合について説明したが，ステアリングロック装置以外の他のアクチュエータ装置に前記実施形態を適用できることは勿論である。
【図面の簡単な説明】
【００５０】
【図１】本発明の一実施形態のステアリングロック装置の分解斜視図である。
【図２】上記ステアリングロック装置の断面図である。
【図３】上記ステアリングロック装置のケースの平面図である。
【図４】上記ステアリングロック装置の出力ギヤ周辺の拡大平面図である。
【図５】上記ステアリングロック装置の出力ギヤ周辺の拡大断面図である。
【図６】上記ステアリングロック装置のケースとカバーとスイッチホルダ及びリミットスイッチの関係を示す分解斜視図である。
【図７】上記ケースにスイッチホルダを仮止めした状態を示す平面図である。
【図８】（ａ）は上記ケースにスイッチホルダを仮止めした状態を示す断面図，（ｂ）は同仮止め状態の要部の拡大断面図である。
【図９】（ａ）は上記ケースとカバー間にスイッチホルダを挾持した取付状態の概略説明図，（ｂ）は同取付状態の要部の拡大説明図である。
【図１０】上記ステアリングロック装置に用いられるモータを斜め前側から見た斜視図である。
【図１１】上記モータを斜め後側から見た斜視図である。
【図１２】上記モータの平面図である。
【図１３】上記モータの側面図である。
【図１４】上記モータに装着される弾性体の平面図である。
【図１５】上記弾性体の側面図である。
【図１６】従来のステアリングロック装置に用いられるアクチュエータ装置の内部を示す平面図である。
【図１７】上記従来のアクチュエータ装置のモータの支持部分を示す平面図である。
【符号の説明】
【００５１】
１０  ステアリングロック装置（アクチュエータ装置）
１１  ケース
１１ａ  モータ収容部
１１ｂ  ギヤ収容部
１３  カバー
２０  モータ
２０ａ  モータ本体
２０ｂ，２０ｃ  前後の軸受
２１  アーマチュア軸（駆動軸）
２３  出力ギヤ
４０  弾性体
４１  本体フローティング部
４１ａ  上片
４１ｂ  上片
４１ｃ  側片
４１ｄ  側片
４１ｅ  凸部
４１ｆ  凸部
４２，４３  一対の軸受フローティング部
４２ａ  孔部
４３ａ  孔部
４４  切欠き部
【図１】
2006230046.tif 000003
【図２】
2006230046.tif 000004
【図３】
2006230046.tif 000005
【図４】
2006230046.tif 000006
【図５】
2006230046.tif 000007
【図６】
2006230046.tif 000008
【図７】
2006230046.tif 000009
【図８】
2006230046.tif 000010
【図９】
2006230046.tif 000011
【図１０】
2006230046.tif 000012
【図１１】
2006230046.tif 000013
【図１２】
2006230046.tif 000014
【図１３】
2006230046.tif 000015
【図１４】
2006230046.tif 000016
【図１５】
2006230046.tif 000017
【図１６】
2006230046.tif 000018
【図１７】
2006230046.tif 000019